(57)【特許請求の範囲】
【請求項１】
生ごみを破砕する破砕槽（１）と、破砕された生ごみを分解消滅させる分解消滅槽（２）の二槽（１）、（２）を合体させ、前記破砕槽（１）に、生ごみを破砕機（３）の刃（４）の方向に向けて押し込んだ後、分解消滅槽（２）内に送り込むための押板（５）とネジ棒（６）とジャバラ（７）からなる生ごみを押す機構を設け、前記分解消滅槽（２）に、攪拌機（８）とバイオ菌床材（１８）を装填し、該分解消滅槽（２）内に、温水プレート（９）を設け、別途設けた脱臭温水器（２８）から、給湯管（２１）を介して分解消滅槽（２）の温水プレート（９）内に温水を供給できるようにするとともに、温水プレート（９）内に供給した温水を排水管（２２）を介して前記脱臭温水器（２８）に戻すようにし、また、分解消滅槽（２）内に熱風を入れる熱風発生機（１２）を設け、更に、破砕槽（１）と分解消滅槽（２）の近傍に、各槽（１）、（２）内の臭気を吸引するためのファン（１０）とダクト（１１）を設けて、ダクト（１１）の排気側を前記脱臭温水器（２８）に接続して脱臭温水器（２８）に臭気を燃焼して無臭化処理する無臭化処理機構を設け、該脱臭温水器（２８）に、脱臭機能と温水供給機能の二つの機能を付与したことを特徴とする脱臭温水器を備えた生ごみ分解消滅機。
【請求項２】
前記温水プレート（９）は、温水（２３）が通る通路を形成するための上層板（２４）及び下層板（２５）と、下層板（２５）の下面に積層される断熱材（２６）を備え、また温水（２３）が通る通路内には、流れを平均にする板（２７）が装備されることを特徴とする請求項１に記載の脱臭温水器を備えた生ごみ分解消滅機。
【請求項３】
前記脱臭温水器（２８）は、破砕槽（１）や分解消滅槽（２）から吸引した臭気（２９）を、オイルタンク（３８）から送られる石油や送風機（４０）から送られるエアと一緒にバーナー（４１）で燃焼させるようにされ、燃焼させた臭気を下に行かせる筒（３１）を通した後、上に行かせる筒（３２）を通して上部の排気筒（３５）から排気するとともに、上に行かせる筒（３２）と外筒との間に、温水（３３）が流れる通路を設けて、この通路に温水（３３）の流れを螺旋状にするための板（３４）を設け、また、この通路内に、前記温水プレート（９）から排水管（２２）を通して排水される温水を送り込んで高温にし、高温にした温水（３３）を前記給湯管（２１）を通して前記温水プレート（９）に戻すようにしたことを特徴とする請求項１又は請求項２に記載の脱臭温水器を備えた生ごみ分解消滅機。
【発明の詳細な説明】
【０００１】
【産業上の利用分野】
この発明は、生ごみの処理機として処理物を破砕し、バイオ菌床材と混合させ処理物を完全に殺菌し分解消滅させ、脱臭と温水を兼用する機能を有する生ごみ分解消滅機と脱臭温水器に関するものである。
【０００２】
【従来の技術】
従来、生ごみ処理機の構造や機能において多様化しているが、殺菌および脱臭方法と、処理物を完全に消滅させる機能は充分に果たしているとは云えない。
【０００３】
【発明が解決しようとする課題】
これには次のような欠点があった。
（イ）生ごみは完全に消滅できず、その処理に二次的コストが発生する。
（ロ）雑菌や病原菌や臭気が消滅されず使用する際の大きな障害と成っていた。
（ハ）槽内に収容した一定量の水を同じく槽内に配置したヒーターにより加熱し、水が所定温度に達するまでにかなりの時間が掛かる。又槽内に生ごみを投入すると温水の温度が一旦急激に下がってしまい、ヒーターによって温度を回復するのにかなりの時間が掛かる。
本発明は、これらの欠点を解決するためになされたものである。
【０００４】
【課題を解決するための手段】
本発明は、破砕槽（１）と分解消滅槽（２）の二槽によって形成され、破砕槽（１）の内部に破砕機（３）、刃（４）と処理物を送り込む押板（５）と押すネジ棒（６）とジャバラ（７）を設ける。破砕槽（１）は破砕することにより処理物が早く分解消滅する。分解消滅槽（２）には、攪拌機（８）を設け、内部の温度を一定に保つために、別途設ける脱臭温水器（２８）から分解消滅槽（２）の温水プレート（９）内へ温水を供給する給湯管（２１）を設け、温水プレート（９）内に供給した温水を脱臭温水器（２８）へ戻す排水管（２２）を設ける。処理物の臭気を滅する為脱臭用ファン（１０）とダクト（１１）と外部に脱臭温水器（２８）を設ける。破砕槽（１）の上部に処理物の投入口（１３）を設け、分解消滅槽（２）の上部に手入れ用の点検口（１４）を設ける。本機の作動は、すべて全自動化を計るため、操作盤（１５）を装備する。
本発明は、以上の構成からなる脱臭温水器を備えた生ごみ分解消滅機を提供する。
【０００５】
【作用】
操作盤（１５）の標示を確認し、投入口（１３）を開き処理物を投入する。又標示を確認せず、投入口を開けた場合、破砕槽（１）内の機器の作動は停止され安全に処理物は投入でき、蓋を閉めると蓋は自動的にロックされ、作動ボタン（１６）を押せば破砕槽内の機器は作動する。処理物はモーター直結の破砕機（３）についている刃（４）によって細かく砕かれ、押板（５）によって次の分解消滅槽（２）に運び込まれる。この際、押板（５）はモーター直結のネジ棒（６）の回転とジャバラ（７）によって往復作動する。破砕された処理物は破砕槽（１）の開口部より分解消滅槽（２）に落下する。分解消滅槽（２）内にあらかじめ入れておいたバイオ菌床材（１８）と処理物を攪拌機（８）で混合させ、処理物を完全に消滅させる。分解消滅槽（２）内には、外部より脱臭温水器（２８）を供給源として、必要なときだけ当該装置内（槽内）に温水を供給する。本考案の装置はこの供給源から槽内（２）へ温水を供給する給湯管（２１）より温水プレート（９）を通し温水を排水管（２２）で外部の脱臭温水器（２８）へ戻す装置を装備し、熱風発生機（１２）によりクリーンエアと熱を槽内に吹き込み、バイオ菌の活発な働きを維持する。破砕槽（１）と分解消滅槽（２）内に発生する臭気と気体と水蒸気は、ファン（１０）によってダクト（１１）から吸い込み、脱臭温水器（２８）を通して排出する。分解消滅槽（２）の上部に点検用の開口部を設け、自動ロック式の蓋を設ける。本機の駆動はすべて電気モーターを用い、操作盤（１５）のセンサーによって作動する。本機には架台（１９）を設け、移動を容易にするためのキャスター（２０）を取り付け、ボックス型カバーを施す。
【０００６】
【実施例】
以下、本発明の実施例について説明する。
（イ）、本発明は、バイオ菌によって処理物を完全に消滅させる機能を有する構成からなっている。破砕槽（１）に処理物を投入する際は、操作盤（１５）の停止ボタン（１７）を押し、破砕機（３）を停止させる。このとき、押板（５）はもとの位置に戻り、投入口の蓋のロックが解けて処理物の投入が容易になる。蓋を閉めると蓋はセンサーにより自動的にロックされ、作動ボタン（１６）を押すと破砕機（３）およびネジ棒（６）とジャバラ（７）で押板（５）が稼動し、処理物の破砕が始まる、破砕された処理物は押板（５）に押されて次の槽、分解消滅槽（２）に落とし込まれる。この工程を終わると押板（５）は元の位置に戻り破砕機（３）の回転は自動的に停止する。
（ロ）、破砕槽の開口部より処理物を分解消滅槽（２）に落し込む。分解消滅槽（２）に落し込まれた処理物は、槽内のバイオ菌床材（１８）と攪拌機（８）によって混合され、処理物は完全に消滅される。配管構成において、槽内（２）に温水プレート（９）を設け脱臭温水器（２８）より給湯管（２１）を通し、当該装置の作動中温水供給源から槽内（２）へは絶え間なく温水が供給される、処理物が入って冷やされても次々と新たに供給される温水と入れ替わって高温状態を維持することができ温水を排出する排水管（２２）を通し外部の脱臭温水器（２８）に戻す、熱風発生機（１２）によりクリーンエアと熱を槽内（２）に吹き込み、バイオ菌の活発な働きを維持する。
（ハ）、処理物に含まれる臭気を取り除くために、ファン（１０）によってダクト（１１）から外部の脱臭温水器（２８）を通して排出させる。
（ニ）、生ごみ分解消滅機より排出される臭気（２９）は外部の脱臭温水器（２８）に入る。臭気はオイルタンク（３８）よりオイルパイプ（３９）を流れ送風機（４０）のエアと一緒にパイプ（４２）を通りバーナー（４１）に点火し炎（４３）が１０００度になり臭気（２９）は熱発生板（３０）を通り臭気を下に行かせる筒（３１）より臭気を上に行かせる筒（３２）を通る、臭気は高温のため燃えて臭いが無く排気筒（３５）より外へだす。
（ホ）、温水プレート（９）の排水管（２２）より水はシスタンク（３７）に入り危険防止のリリーフ弁（４４）を設け、送り出す循環ポンプ（３６）によって臭気を上に行かせる筒（３２）と外筒の間を、流れを螺旋状にする板（３４）を設け、その間を流れ高温のため温水（３３）となって、温水プレート（９）の給湯管（２１）に戻る。
（ヘ）、本機の動力はすべて電気モーターを使用し、操作盤（１５）によって、コントロールし、すべての機器を自動化したものである。
【０００７】
【発明の効果】
本発明の構造は、以上の説明からなっており、ファンと脱臭温水器の装備によって臭気を除去し、温水を供給し、破砕槽内に設けた押板とジャバラと破砕機と消滅槽に設けた温水プレートとバイオ菌床材を用いることによって、処理物を完全に消滅させる機能を有している。
【図面の簡単な説明】
【図１】本発明の生ごみ分解消滅機と脱臭温水器の全体図
【図２】本発明の１００部分の正面断面図
【図３】本発明の１００部分の平面図
【図４】本発明の２００部分の正面断面図
【図５】本発明の２００部分の平面図
【図６】本発明の１００部分の左側面図
【図７】本発明の１００部分の右側面図
【図８】温水プレートａ−ａ拡大断面図
【図９】温水プレートの斜視図
【符号の説明】
１  破砕槽
２  分解消滅槽
３  破砕機
４  刃
５  押板
６  ネジ棒
７  ジャバラ
８  攪拌機
９  温水プレート
１０  ファン
１１  ダクト
１２  熱風発生機
１３  投入口
１４  点検口
１５  操作盤
１６  作動ボタン
１７  停止ボタン
１８  バイオ菌床材
１９  架台
２０  キャスター
２１  給湯管
２２  排水管
２３  温水
２４  上層板
２５  下層板
２６  断熱材
２７  流れを平均にする板
２８  脱臭温水器
２９  臭気
３０  熱発生板
３１  臭気を下に行かせる筒
３２  臭気を上に行かせる筒
３３  温水
３４  流れを螺旋状にする板
３５  排気筒
３６  循環ポンプ
３７  シスタンク
３８  オイルタンク
３９  オイルパイプ
４０  送風機
４１  バーナー
４２  パイプ
４３  炎
４４  リリーフ弁
【図１】
0003840403.tif 000002
【図２】
0003840403.tif 000003
【図３】
0003840403.tif 000004
【図４】
0003840403.tif 000005
【図５】
0003840403.tif 000006
【図６】
0003840403.tif 000007
【図７】
0003840403.tif 000008
【図８】
0003840403.tif 000009
【図９】
0003840403.tif 000010